(57)【要約】  本発明は、論理チャネルのリソース決定方法及び装置、コンピュータ記憶媒体を開示する。前記方法は、端末が、ネットワーク側から送信された設定情報を受信することであって、前記設定情報には、データパケットの関連情報と、リソース属性であるＴＴＩ、キャリアのうちの少なくとも１つとの第１のマッピング関係が設定されることと、前記端末が、論理チャネルと前記データパケットの関連情報との第２のマッピング関係を決定し、前記第１のマッピング関係及び前記第２のマッピング関係に基づいて、前記論理チャネルに対応するリソース属性であるＴＴＩ、キャリアのうちの少なくとも１つを決定することと、を含む。
2020537857.tif 000002
【特許請求の範囲】
【請求項１】
論理チャネルのリソース決定方法であって、
端末は、ネットワーク側から送信された設定情報を受信することであって、前記設定情報には、データパケットの関連情報と、リソース属性である伝送時間間隔（ＴＴＩ）、キャリアのうちの少なくとも１つとの第１のマッピング関係が設定されることと、
前記端末は、論理チャネルと前記データパケットの関連情報との第２のマッピング関係を決定し、前記第１のマッピング関係及び前記第２のマッピング関係に基づいて、前記論理チャネルに対応するリソース属性であるＴＴＩ、キャリアのうちの少なくとも１つを決定することと、を含む、論理チャネルのリソース決定方法。
【請求項２】
前記データパケットの関連情報は、データパケットに対応する近距離通信データパケット単位優先度（ＰＰＰＰ）、又はデータパケットに対応する宛先アドレス、又はデータパケットに対応するプロバイダサービスＩＤ（ＰＳＩＤ）を含む
請求項１に記載の論理チャネルのリソース決定方法。
【請求項３】
前記設定情報に設定される第１のマッピング関係は、
データパケットに対応するＰＰＰＰとＴＴＩとのマッピング関係、又は、
データパケットに対応する宛先アドレスとＴＴＩとのマッピング関係、又は、
データパケットに対応するＰＳＩＤとＴＴＩとのマッピング関係を含む
請求項２に記載の論理チャネルのリソース決定方法。
【請求項４】
前記第２のマッピング関係は、
論理チャネルとデータパケットに対応するＰＰＰＰとのマッピング関係、又は、
論理チャネルとデータパケットに対応する宛先アドレスとのマッピング関係、又は、
論理チャネルとデータパケットに対応するＰＳＩＤとのマッピング関係を含む
請求項２に記載の論理チャネルのリソース決定方法。
【請求項５】
前記第１のマッピング関係及び前記第２のマッピング関係に基づいて、前記論理チャネルに対応するリソース属性であるＴＴＩを決定する
請求項３又は４に記載の論理チャネルのリソース決定方法。
【請求項６】
前記設定情報に設定される第１のマッピング関係は、
データパケットに対応するＰＰＰＰとキャリアとのマッピング関係、又は、
データパケットに対応する宛先アドレスとキャリアとのマッピング関係、又は、
データパケットに対応するＰＳＩＤとキャリアとのマッピング関係を含む
請求項２に記載の論理チャネルのリソース決定方法。
【請求項７】
前記第１のマッピング関係及び前記第２のマッピング関係に基づいて、前記論理チャネルに対応するリソース属性であるキャリアを決定する
請求項４又は６に記載の論理チャネルのリソース決定方法。
【請求項８】
前記設定情報に設定される第１のマッピング関係は、
データパケットに対応するＰＰＰＰとＴＴＩ及びキャリアとのマッピング関係、又は、
データパケットに対応する宛先アドレスとＴＴＩ及びキャリアとのマッピング関係、又は、
データパケットに対応するＰＳＩＤとＴＴＩ及びキャリアとのマッピング関係を含む
請求項２に記載の論理チャネルのリソース決定方法。
【請求項９】
前記第１のマッピング関係及び前記第２のマッピング関係に基づいて、前記論理チャネルに対応するリソース属性であるＴＴＩ及びキャリアを決定する
請求項４又は８に記載の論理チャネルのリソース決定方法。
【請求項１０】
前記論理チャネルとリソース属性とのマッピング関係は第３のマッピング関係であり、前記方法は、
前記端末は、伝送リソースを取得して、前記伝送リソースに対応するリソース属性であるＴＴＩ、キャリアのうちの少なくとも１つを決定することと、
前記端末は、前記伝送リソースに対応するリソース属性及び前記第３のマッピング関係に基づいて、前記伝送リソースに関連付けられた１つ以上の論理チャネルを決定することと、を更に含む
請求項１〜９のいずれか１項に記載の論理チャネルのリソース決定方法。
【請求項１１】
論理チャネルのリソース決定装置であって、
ネットワーク側から送信された設定情報を受信するように構成される受信ユニットであって、前記設定情報には、データパケットの関連情報と、リソース属性であるＴＴＩ、キャリアのうちの少なくとも１つとの第１のマッピング関係が設定される受信ユニットと、
論理チャネルと前記データパケットの関連情報との第２のマッピング関係を決定するように構成される第１の決定ユニットと、
前記第１のマッピング関係及び前記第２のマッピング関係に基づいて、前記論理チャネルに対応するリソース属性であるＴＴＩ、キャリアのうちの少なくとも１つを決定するように構成される第２の決定ユニットと、を備える、論理チャネルのリソース決定装置。
【請求項１２】
前記データパケットの関連情報は、データパケットに対応するＰＰＰＰ、又はデータパケットに対応する宛先アドレス、又はデータパケットに対応するＰＳＩＤを含む
請求項１１に記載の論理チャネルのリソース決定装置。
【請求項１３】
前記設定情報に設定される第１のマッピング関係は、
データパケットに対応するＰＰＰＰとＴＴＩとのマッピング関係、又は、
データパケットに対応する宛先アドレスとＴＴＩとのマッピング関係、又は、
データパケットに対応するＰＳＩＤとＴＴＩとのマッピング関係を含む
請求項１２に記載の論理チャネルのリソース決定装置。
【請求項１４】
前記第２のマッピング関係は、
論理チャネルとデータパケットに対応するＰＰＰＰとのマッピング関係、又は、
論理チャネルとデータパケットに対応する宛先アドレスとのマッピング関係、又は、
論理チャネルとデータパケットに対応するＰＳＩＤとのマッピング関係を含む
請求項１２に記載の論理チャネルのリソース決定装置。
【請求項１５】
前記第２の決定ユニットは、具体的には、前記第１のマッピング関係及び前記第２のマッピング関係に基づいて、前記論理チャネルに対応するリソース属性であるＴＴＩを決定するように構成される
請求項１３又は１４に記載の論理チャネルのリソース決定装置。
【請求項１６】
前記設定情報に設定される第１のマッピング関係は、
データパケットに対応するＰＰＰＰとキャリアとのマッピング関係、又は、
データパケットに対応する宛先アドレスとキャリアとのマッピング関係、又は、
データパケットに対応するＰＳＩＤとキャリアとのマッピング関係を含む
請求項１２に記載の論理チャネルのリソース決定装置。
【請求項１７】
前記第２の決定ユニットは、具体的には、前記第１のマッピング関係及び前記第２のマッピング関係に基づいて、前記論理チャネルに対応するリソース属性であるキャリアを決定するように構成される
請求項１４又は１６に記載の論理チャネルのリソース決定装置。
【請求項１８】
前記設定情報に設定される第１のマッピング関係は、
データパケットに対応するＰＰＰＰとＴＴＩ及びキャリアとのマッピング関係、又は、
データパケットに対応する宛先アドレスとＴＴＩ及びキャリアとのマッピング関係、又は、
データパケットに対応するＰＳＩＤとＴＴＩ及びキャリアとのマッピング関係を含む
請求項１２に記載の論理チャネルのリソース決定装置。
【請求項１９】
前記第２の決定ユニットは、具体的には、前記第１のマッピング関係及び前記第２のマッピング関係に基づいて、前記論理チャネルに対応するリソース属性であるＴＴＩ及びキャリアを決定するように構成される
請求項１４又は１８に記載の論理チャネルのリソース決定装置。
【請求項２０】
前記論理チャネルとリソース属性とのマッピング関係は第３のマッピング関係であり、
前記受信ユニットは、更に伝送リソースを取得するように構成され、
前記装置は、
前記伝送リソースに対応するリソース属性であるＴＴＩ、キャリアのうちの少なくとも１つを決定するように構成される第３の決定ユニットと、
前記伝送リソースに対応するリソース属性及び前記第３のマッピング関係に基づいて、前記伝送リソースに関連付けられた１つ以上の論理チャネルを決定するように構成される第４の決定ユニットと、を更に備える
請求項１１〜１９のいずれか1項に記載の論理チャネルのリソース決定装置。
【請求項２１】
コンピュータ実行可能な命令を記憶するためのコンピュータ記憶媒体であって、
前記コンピュータ実行可能命令が、プロセッサに、請求項１〜１０のいずれか１項に記載の方法のステップを実行させる、コンピュータ記憶媒体。
【発明の詳細な説明】
【技術分野】
【０００１】
本発明は移動通信分野の車両のインターネット技術に関し、特に論理チャネルのリソース決定方法及び装置、コンピュータ記憶媒体に関する。
【背景技術】
【０００２】
車両のインターネットシステムではロングタームエボリューション（ＬＴＥ：Ｌｏｎｇ  Ｔｅｒｍ  Ｅｖｏｌｕｔｉｏｎ）−デバイス・ツー・デバイス（Ｄ２Ｄ：Ｄｅｖｉｃｅ  ｔｏ  Ｄｅｖｉｃｅ）に基づいたサイドリンク（ＳＬ：Ｓｉｄｅｌｉｎｋ）伝送技術が用いられ、従来のＬＴＥシステムにおける基地局が通信データを送受信する方式とは異なり、車両のインターネットシステムではエンドツーエンド直接通信方式が用いられるため、周波数スペクトル効率がより高くなり、伝送遅延がより低くなる。
【０００３】
３ＧＰＰ  Ｒｅｌ−１４では車両のインターネット技術（Ｖ２Ｘ：Ｖｅｈｉｃｌｅ−ｔｏ−Ｅｖｅｒｙｔｈｉｎｇ）が標準化され、モード３、モード４の２種の伝送モードが定義されている。モード３において、端末の伝送リソースは基地局で割り当てられる。モード４において、端末はセンシング（ｓｅｎｓｉｎｇ）＋予約（ｒｅｓｅｒｖａｔｉｏｎ）の方式で伝送リソースを決定する。
【０００４】
上記モード４の場合、ｒｅｌ−１４では、リソースは、１つのキャリアのシナリオ、すなわち単一キャリアのシナリオに基づいて選択されるものである。Ｒｅｌ−１５では、進化型Ｖ２ｘ（ｅＶ２ｘ）はマルチキャリアのシナリオに拡張され、すなわち、１つの端末は同時に１つ以上のキャリア上にデータの送受信を行うことができる。このようにして、如何に論理チャネルのデータのためにキャリア及び伝送時間間隔（ＴＴＩ：Ｔｒａｎｓｍｉｓｓｉｏｎ  Ｔｉｍｅ  Ｉｎｔｅｒｖａｌ）の長さを選択するかは、緊急に解決すべき問題となっている。
【発明の概要】
【０００５】
上記技術課題を解決するために、本発明の実施例は、論理チャネルのリソース決定方法及び装置、コンピュータ記憶媒体を提供する。
【０００６】
本発明の実施例に係る論理チャネルのリソース決定方法は、
端末は、ネットワーク側から送信された設定情報を受信することであって、前記設定情報には、データパケットの関連情報と、リソース属性であるＴＴＩ、キャリアのうちの少なくとも１つとの第１のマッピング関係が設定されることと、
前記端末は、論理チャネルと前記データパケットの関連情報との第２のマッピング関係を決定し、前記第１のマッピング関係及び前記第２のマッピング関係に基づいて、前記論理チャネルに対応するリソース属性であるＴＴＩ、キャリアのうちの少なくとも１つを決定することと、を含む。
【０００７】
本発明の実施例において、前記データパケットの関連情報は、データパケットに対応する近距離通信データパケット単位優先度（ＰＰＰＰ：ＰｒｏＳｅ  Ｐｅｒ  Ｐａｃｋｅｔ  Ｐｒｉｏｒｉｔｙ）、又はデータパケットに対応する宛先アドレス（Ｄｅｓｔｉｎａｔｉｏｎ  Ａｄｄｒｅｓｓ）、又はデータパケットに対応するプロバイダサービスＩＤ（ＰＳＩＤ：Ｐｒｏｖｉｄｅｒ  Ｓｅｒｖｉｃｅ  ＩＤ）を含む。
【０００８】
本発明の実施例において、前記設定情報に設定される第１のマッピング関係は、
データパケットに対応するＰＰＰＰとＴＴＩとのマッピング関係、又は、
データパケットに対応する宛先アドレスとＴＴＩとのマッピング関係、又は、
データパケットに対応するＰＳＩＤとＴＴＩとのマッピング関係を含む。
【０００９】
本発明の実施例において、前記第２のマッピング関係は、
論理チャネルとデータパケットに対応するＰＰＰＰとのマッピング関係、又は、
論理チャネルとデータパケットに対応する宛先アドレスとのマッピング関係、又は、
論理チャネルとデータパケットに対応するＰＳＩＤとのマッピング関係を含む。
【００１０】
本発明の実施例において、前記第１のマッピング関係及び前記第２のマッピング関係に基づいて、前記論理チャネルに対応するリソース属性であるＴＴＩを決定する。
【００１１】
本発明の実施例において、前記設定情報に設定される第１のマッピング関係は、
データパケットに対応するＰＰＰＰとキャリアとのマッピング関係、又は、
データパケットに対応する宛先アドレスとキャリアとのマッピング関係、又は、
データパケットに対応するＰＳＩＤとキャリアとのマッピング関係を含む。
【００１２】
本発明の実施例において、前記第１のマッピング関係及び前記第２のマッピング関係に基づいて、前記論理チャネルに対応するリソース属性であるキャリアを決定する。
【００１３】
本発明の実施例において、前記設定情報に設定される第１のマッピング関係は、
データパケットに対応するＰＰＰＰとＴＴＩ及びキャリアとのマッピング関係、又は、
データパケットに対応する宛先アドレスとＴＴＩ及びキャリアとのマッピング関係、又は、
データパケットに対応するＰＳＩＤとＴＴＩ及びキャリアとのマッピング関係を含む。
【００１４】
本発明の実施例において、前記第１のマッピング関係及び前記第２のマッピング関係に基づいて、前記論理チャネルに対応するリソース属性であるＴＴＩ及びキャリアを決定する。
【００１５】
本発明の実施例において、前記論理チャネルとリソース属性とのマッピング関係は第３のマッピング関係であり、前記方法は、
前記端末は、伝送リソースを取得して、前記伝送リソースに対応するリソース属性であるＴＴＩ、キャリアのうちの少なくとも１つを決定することと、
前記端末は、前記伝送リソースに対応するリソース属性及び前記第３のマッピング関係に基づいて、前記伝送リソースに関連付けられた１つ以上の論理チャネルを決定することと、を更に含む。
【００１６】
本発明の実施例に係る論理チャネルのリソース決定装置は、
ネットワーク側から送信された設定情報を受信するように構成される受信ユニットであって、前記設定情報には、データパケットの関連情報と、リソース属性であるＴＴＩ、キャリアのうちの少なくとも１つとの第１のマッピング関係が設定される受信ユニットと、
論理チャネルと前記データパケットの関連情報との第２のマッピング関係を決定するように構成される第１の決定ユニットと、
前記第１のマッピング関係及び前記第２のマッピング関係に基づいて、前記論理チャネルに対応するリソース属性であるＴＴＩ、キャリアのうちの少なくとも１つを決定するように構成される第２の決定ユニットと、を備える。
【００１７】
本発明の実施例において、前記データパケットの関連情報は、データパケットに対応するＰＰＰＰ、又はデータパケットに対応する宛先アドレス、又はデータパケットに対応するＰＳＩＤを含む。
【００１８】
本発明の実施例において、前記設定情報に設定される第１のマッピング関係は、
データパケットに対応するＰＰＰＰとＴＴＩとのマッピング関係、又は、
データパケットに対応する宛先アドレスとＴＴＩとのマッピング関係、又は、
データパケットに対応するＰＳＩＤとＴＴＩとのマッピング関係を含む。
【００１９】
本発明の実施例において、前記第２のマッピング関係は、
論理チャネルとデータパケットに対応するＰＰＰＰとのマッピング関係、又は、
論理チャネルとデータパケットに対応する宛先アドレスとのマッピング関係、又は、
論理チャネルとデータパケットに対応するＰＳＩＤとのマッピング関係を含む。
【００２０】
本発明の実施例において、前記第２の決定ユニットは、具体的には、前記第１のマッピング関係及び前記第２のマッピング関係に基づいて、前記論理チャネルに対応するリソース属性であるＴＴＩを決定するように構成される。
【００２１】
本発明の実施例において、前記設定情報に設定される第１のマッピング関係は、
データパケットに対応するＰＰＰＰとキャリアとのマッピング関係、又は、
データパケットに対応する宛先アドレスとキャリアとのマッピング関係、又は、
データパケットに対応するＰＳＩＤとキャリアとのマッピング関係を含む。
【００２２】
本発明の実施例において、前記第２の決定ユニットは、具体的には、前記第１のマッピング関係及び前記第２のマッピング関係に基づいて、前記論理チャネルに対応するリソース属性であるキャリアを決定するように構成される。
【００２３】
本発明の実施例において、前記設定情報に設定される第１のマッピング関係は、
データパケットに対応するＰＰＰＰとＴＴＩ及びキャリアとのマッピング関係、又は、
データパケットに対応する宛先アドレスとＴＴＩ及びキャリアとのマッピング関係、又は、
データパケットに対応するＰＳＩＤとＴＴＩ及びキャリアとのマッピング関係を含む。
【００２４】
本発明の実施例において、前記第２の決定ユニットは、具体的には、前記第１のマッピング関係及び前記第２のマッピング関係に基づいて、前記論理チャネルに対応するリソース属性であるＴＴＩ及びキャリアを決定するように構成される。
【００２５】
本発明の実施例において、前記論理チャネルとリソース属性とのマッピング関係は第３のマッピング関係であり、
前記受信ユニットは、更に伝送リソースを取得するように構成され、
前記装置は、
前記伝送リソースに対応するリソース属性であるＴＴＩ、キャリアのうちの少なくとも１つを決定するように構成される第３の決定ユニットと、
前記伝送リソースに対応するリソース属性及び前記第３のマッピング関係に基づいて、前記伝送リソースに関連付けられた１つ以上の論理チャネルを決定するように構成される第４の決定ユニットと、を更に備える。
【００２６】
本発明の実施例に係るコンピュータ記憶媒体は、コンピュータ実行可能命令が記憶され、該コンピュータ実行可能命令がプロセッサで実行されるときに上記論理チャネルのリソース決定方法を実現する。
【００２７】
本発明の実施例の技術案において、端末は、ネットワーク側から送信された設定情報を受信し、前記設定情報には、データパケットの関連情報と、リソース属性であるＴＴＩ、キャリアのうちの少なくとも１つとの第１のマッピング関係が設定され、前記端末は、論理チャネルと前記データパケットの関連情報との第２のマッピング関係を決定し、前記第１のマッピング関係及び前記第２のマッピング関係に基づいて、前記論理チャネルに対応するリソース属性であるＴＴＩ、キャリアのうちの少なくとも１つを決定する。本発明の実施例の技術案を用いて、マルチキャリアのシナリオで論理チャネルに対応するＴＴＩ及び／又はキャリアを効果的に決定して、車両のインターネット分野の端末が同時に複数のキャリア上にデータの送受信を行うことを実現する。
【図面の簡単な説明】
【００２８】
ここで説明される図面は本発明を一層理解させるためのもので、本願の一部を構成し、本発明の例示的な実施例及びその説明は本発明を解釈するもので、本発明を不適切に限定するものではない。図面において、
【図１】は車両のインターネットにおけるモード３のシナリオを示す図である。
【図２】は車両のインターネットにおけるモード４のシナリオを示す図である。
【図３】は端末による伝送リソースのセンシング及び選択を示す図である。
【図４】は本発明の実施例に係る論理チャネルのリソース決定方法のフローチャートである。
【図５】は本発明の実施例に係る論理チャネルのリソース決定装置の構造を示す概略図１である。
【図６】は本発明の実施例に係る論理チャネルのリソース決定装置の構造を示す概略図２である。
【図７】は本発明の実施例に係る端末の構造を示す概略図である。
【発明を実施するための形態】
【００２９】
本発明の実施例の特徴及び技術的内容をより詳細に理解できるために、以下、図面を参照して本発明の実施例の実現を詳細に説明するが、添付された図面は参照説明のためのもので、本発明の実施例を限定するものではない。
【００３０】
本発明の実施例の技術案を簡単に理解するために、以下、モード３及びモード４をそれぞれ解釈説明する。
【００３１】
モード３において、図１に示すように、車載端末の伝送リソースは基地局（例えば、ＬＴＥにおける進化型基地局（ｅＮＢ：ｅｖｏｌｖｅｄ  ＮｏｄｅＢ））で割り当てられ、具体的には、基地局はダウンリンク（ＤＬ：Ｄｏｗｎ  Ｌｉｎｋ）を介して車載端末に許可（Ｇｒａｎｔ）リソースを示す制御メッセージ発行し、車載端末は基地局で割り当てられたリソースに基づいてＳＬ上にデータを送信する。モード３において、基地局は、車載端末に対して１回伝送されるリソースを割り当て、半静的に伝送されるリソースを割り当ててもよい。
【００３２】
モード４において、図２に示すように、車載端末はセンシング＋予約の伝送方式を用いる。車載端末はセンシング方式で利用可能な伝送リソースセットをリソースプールから取得し、該伝送リソースセットから１つのリソースをランダムに選択してデータを伝送する。車両のインターネットシステムのサービスには周期的な特徴があるため、車載端末は一般的には半静的伝送方式を用い、すなわち、車載端末は１つの伝送リソースを選択した後、複数の伝送サイクルに該リソースを引き続き使用し、リソースの再選択及びリソース衝突の確率を低減させる。車載端末は、今回伝送される制御情報内に次回の伝送リソースを予約する情報を保持することで、他の端末は該車載端末の制御情報を検出してこのリソースが該車載端末で予約及び使用されるか否かを判断し、リソース衝突を低減させる目的を達成する。
【００３３】
図３は端末による伝送リソースのセンシング及び選択を示す図であり、図３に示すように、各サイドリンクの処理プロセス（ｓｉｄｅｌｉｎｋ  ｐｒｏｃｅｓｓ）に対して、時点ｎに新たなデータパケットが到着してリソース選択を必要とする場合、端末は、過去１秒間（すなわち、［ｎ−１０００、ｎ］ミリ秒のセンシングウィンドウ）のセンシング結果に基づいて、［ｎ＋Ｔ１、ｎ＋Ｔ２］ミリ秒の選択ウィンドウ内にリソース選択を行い、ここで、Ｔ１≦４、２０≦Ｔ２≦１００。本例において、端末が選択ウィンドウ内にリソース選択を行うプロセスは以下のとおりである。
【００３４】
端末は、選択ウィンドウ内の全ての利用可能なリソースを１つのセットＡとして、セットＡにおけるリソースを以下のように排除する。
１．端末のセンシングウィンドウ内のいくつかのサブフレームが結果をセンシングしなかった場合、選択ウィンドウ内の対応するサブフレーム上のこのいくつかのサブフレームのリソースが排除される。
２．端末がセンシングウィンドウ内に物理ＳＬ制御チャネル（ＰＳＣＣＨ：Ｐｈｙｓｉｃａｌ  Ｓｉｄｅｌｉｎｋ  Ｃｏｎｔｒｏｌ  Ｃｈａｎｎｅｌ）を検出し、ＰＳＣＣＨに対応する基準信号受信電力（ＲＳＲＰ：Ｒｅｆｅｒｅｎｃｅ  Ｓｉｇｎａｌ  Ｒｅｃｅｉｖｉｎｇ  Ｐｏｗｅｒ）が閾値より高く、且つ、該ＰＳＣＣＨで予約されている次の伝送リソースと本端末での送信対象のデータとにリソース衝突がある場合、ユーザは該予約される伝送リソースをセットＡから排除する。
３．端末は、セットＡ内の残りのリソースに対してサイドリンク受信信号強度表示（Ｓ−ＲＳＳＩ：Ｓｉｄｅｌｉｎｋ  Ｒｅｃｅｉｖｅｄ  Ｓｉｇｎａｌ  Ｓｔｒｅｎｇｔｈ  Ｉｎｄｉｃａｔｉｏｎ）検出を行い、エネルギーレベルで順序付けられ、エネルギーの最低２０％（セットＡにおけるリソース個数に対応）リソースをセットＢに入れる。
４．端末は１つのリソースをセットＢから等確率に選択してデータ伝送を行う。
【００３５】
端末が１つのリソースを選択して伝送する場合、該端末は、予約されているこのリソースをＣｒｅｓｅｌ回引き続き使用し、データを伝送するたびに、Ｃｒｅｓｅｌから１を減らし、Ｃｒｅｓｅｌが０に減らした場合、端末は、１つの［０、１］の間の乱数をランダムに生成して、パラメータｐｒｏｂＲｅｓｏｕｒｃｅＫｅｅｐ（Ｐ＿ｒｅｓＫｅｅｐと略称）と比較し、端末は、乱数がＰ＿ｒｅｓＫｅｅｐより大きい場合、リソースを再選択し、乱数がＰ＿ｒｅｓＫｅｅｐ以下である場合、該リソースを引き続き使用して、Ｃｒｅｓｅｌを再設定する。
【００３６】
ｒｅｌ−１４では、１つのキャリア、すなわち、単一キャリアのシナリオが説明される。Ｒｅｌ−１５では、進化型Ｖ２ｘ（ｅＶ２ｘ）はマルチキャリアのシナリオに拡張され、すなわち、１つの端末は同時に１つ以上のキャリア上にデータの送受信を行うことができる。このようにして、如何に論理チャネルのデータのためにキャリア及びＴＴＩの長さを選択するかを考慮する必要がある。例えば、論理チャネルに運ばれるサービスのサービス品質（ＱｏＳ：Ｑｕａｌｉｔｙ  ｏｆ  Ｓｅｒｖｉｃｅ）の特性が異なること、優先度の高いサービスが、優先度のより高いキャリアで伝送される必要があること、遅延要求の高いサービスがより短いＴＴＩで伝送される必要があること等を考慮する。
【００３７】
これに基づき、本発明の実施例は、論理チャネルのリソース決定方法を示す図を提供する。
【００３８】
図４は本発明の実施例に係る論理チャネルのリソース決定方法のフローチャートであり、本実施例において、論理チャネルのリソースは論理チャネルにサービスを提供するリソースであり、図４に示すように、前記論理チャネルのリソース決定方法は以下のステップを含む。
【００３９】
ステップ４０１において、端末は、ネットワーク側から送信された設定情報を受信し、前記設定情報には、データパケットの関連情報と、リソース属性であるＴＴＩ、キャリアのうちの少なくとも１つとの第１のマッピング関係が設定される。
【００４０】
本発明の実施例において、前記データパケットの関連情報は、データパケットに対応するＰＰＰＰ、又はデータパケットに対応する宛先アドレス、又はデータパケットに対応するＰＳＩＤを含む。
【００４１】
本発明の実施例において、第１のマッピング関係は、リソース属性の異なりによって以下の３種類の実現形態を有する。
【００４２】
形態１において、前記設定情報に設定される第１のマッピング関係は、
データパケットに対応するＰＰＰＰとＴＴＩとのマッピング関係、又は、
データパケットに対応する宛先アドレスとＴＴＩとのマッピング関係、又は、
データパケットに対応するＰＳＩＤとＴＴＩとのマッピング関係を含む。
【００４３】
形態２において、前記設定情報に設定される第１のマッピング関係は、
データパケットに対応するＰＰＰＰとキャリアとのマッピング関係、又は、
データパケットに対応する宛先アドレスとキャリアとのマッピング関係、又は、
データパケットに対応するＰＳＩＤとキャリアとのマッピング関係を含む。
【００４４】
形態３において、前記設定情報に設定される第１のマッピング関係は、
データパケットに対応するＰＰＰＰとＴＴＩ及びキャリアとのマッピング関係、又は、
データパケットに対応する宛先アドレスとＴＴＩ及びキャリアとのマッピング関係、又は、
データパケットに対応するＰＳＩＤとＴＴＩ及びキャリアとのマッピング関係を含む。
【００４５】
ステップ４０２において、前記端末は、論理チャネルと前記データパケットの関連情報との第２のマッピング関係を決定し、前記第１のマッピング関係及び前記第２のマッピング関係に基づいて、前記論理チャネルに対応するリソース属性であるＴＴＩ、キャリアのうちの少なくとも１つを決定する。
【００４６】
本発明の実施例において、前記第２のマッピング関係は、
論理チャネルとデータパケットに対応するＰＰＰＰとのマッピング関係、又は、
論理チャネルとデータパケットに対応する宛先アドレスとのマッピング関係、又は、
論理チャネルとデータパケットに対応するＰＳＩＤとのマッピング関係を含む。
【００４７】
本発明の実施例において、第１のマッピング関係及び第２のマッピング関係が知られている場合、第３のマッピング関係、すなわち、論理チャネルとリソース属性とのマッピング関係を決定することができる。ステップ４０１における３種類の実現形態に対して、論理チャネルに対応するリソース属性を決定することも以下の３種類の実現形態を有する。
【００４８】
形態１において、前記第１のマッピング関係及び前記第２のマッピング関係に基づいて、前記論理チャネルに対応するリソース属性であるＴＴＩを決定する。
【００４９】
形態２において、前記第１のマッピング関係及び前記第２のマッピング関係に基づいて、前記論理チャネルに対応するリソース属性であるキャリアを決定する。
【００５０】
形態３において、前記第１のマッピング関係及び前記第２のマッピング関係に基づいて、前記論理チャネルに対応するリソース属性であるＴＴＩ及びキャリアを決定する。
【００５１】
また、本発明の実施例の技術案は、
前記端末は、伝送リソースを取得して、前記伝送リソースに対応するリソース属性であるＴＴＩ、キャリアのうちの少なくとも１つを決定するステップと、
前記端末は、前記伝送リソースに対応するリソース属性及び前記第３のマッピング関係に基づいて、前記伝送リソースに関連付けられた１つ以上の論理チャネルを決定するステップと、を更に含む。
【００５２】
上記技術案において、端末が伝送リソースを取得する方式は、モード３により基地局から取得されてもよく、モード４によりリソースプールからセンシング選択を行って取得されてもよい。
【００５３】
ここで、前記伝送リソースに関連付けられた複数の論理チャネルを決定した場合、該複数の論理チャネルの優先度順序付けを行って、端末のデータが優先度に基づいて高から低へ伝送される。
【００５４】
本発明の実施例の技術案をより十分に理解するために、以下、特定の応用例を組み合わせて本発明の実施例の技術案を更に詳細に説明する。
【００５５】
応用例１
第１のマッピング関係はデータパケットの関連情報とＴＴＩとのマッピング関係である。ここで、データパケットの関連情報は、データパケットに対応するＰＰＰＰ、データパケットに対応するＤｅｓｔｉｎａｔｉｏｎ  Ａｄｄｒｅｓｓ、データパケットに対応するＰＳＩＤである。
【００５６】
形態１において、以下の表１に示すように、ネットワークは、データパケットに対応するＰＰＰＰとＴＴＩとのマッピング関係を端末に設定することができる：
【表１】
2020537857.tif 000003
【００５７】
Ｓｈｏｒｔ  ＴＴＩは短いＴＴＩを表し、Ｌｏｎｇ  ＴＴＩは長いＴＴＩを表し、長いＴＴＩの長さは短いＴＴＩの長さより大きい。ＰＰＰＰ  １の場合は、Ｓｈｏｒｔ  ＴＴＩに対応する。ＰＰＰＰ  ２の場合は、Ｌｏｎｇ  ＴＴＩに対応する。ＰＰＰＰ  ３の場合は、Ｓｈｏｒｔ  ＴＴＩ及びＬｏｎｇ  ＴＴＩのいずれかに対応する。
【００５８】
形態２において、以下の表２に示すように、ネットワークは、データパケットに対応するＤｅｓｔｉｎａｔｉｏｎ  ＡｄｄｒｅｓｓとＴＴＩとのマッピング関係を端末に設定することができる：
【表２】
2020537857.tif 000004
【００５９】
Ｄｅｓｔｉｎａｔｉｏｎ  Ａｄｄｒｅｓｓ  １の場合は、Ｓｈｏｒｔ  ＴＴＩに対応する。Ｄｅｓｔｉｎａｔｉｏｎ  Ａｄｄｒｅｓｓ  ２の場合は、Ｌｏｎｇ  ＴＴＩに対応する。Ｄｅｓｔｉｎａｔｉｏｎ  Ａｄｄｒｅｓｓ  ３の場合は、Ｓｈｏｒｔ  ＴＴＩ及びＬｏｎｇ  ＴＴＩのいずれかに対応する。
【００６０】
形態３において、以下の表３に示すように、ネットワークは、データパケットに対応するＰＳＩＤとＴＴＩとのマッピング関係を端末に設定することができる：
【表３】
2020537857.tif 000005
【００６１】
ＰＳＩＤ  １の場合は、Ｓｈｏｒｔ  ＴＴＩに対応する。ＰＳＩＤ  ２の場合は、Ｌｏｎｇ  ＴＴＩに対応する。ＰＳＩＤ  ３の場合は、Ｓｈｏｒｔ  ＴＴＩ及びＬｏｎｇ  ＴＴＩのいずれかに対応する。
【００６２】
端末は、第１のマッピング関係及び第２のマッピング関係に基づいて、論理チャネルに対応するＴＴＩを決定する。
【００６３】
応用例２
第１のマッピング関係はデータパケットの関連情報とキャリア（Ｃａｒｒｉｅｒ）とのマッピング関係である。ここで、データパケットの関連情報は、データパケットに対応するＰＰＰＰ、データパケットに対応するＤｅｓｔｉｎａｔｉｏｎ  Ａｄｄｒｅｓｓ、データパケットに対応するＰＳＩＤである。
【００６４】
形態１において、以下の表４に示すように、ネットワークは、データパケットに対応するＰＰＰＰとＣａｒｒｉｅｒとのマッピング関係を端末に設定することができる：
【表４】
2020537857.tif 000006
【００６５】
ＰＰＰＰ  １の場合は、Ｃａｒｒｉｅｒ  ａに対応する。ＰＰＰＰ  ２の場合は、Ｃａｒｒｉｅｒ  ｂに対応する。ＰＰＰＰ  ３の場合は、Ｃａｒｒｉｅｒ  ｃに対応する。
【００６６】
形態２において、以下の表５に示すように、ネットワークは、データパケットに対応するＤｅｓｔｉｎａｔｉｏｎ  ＡｄｄｒｅｓｓとＣａｒｒｉｅｒとのマッピング関係を端末に設定することができる：
【表５】
2020537857.tif 000007
【００６７】
Ｄｅｓｔｉｎａｔｉｏｎ  Ａｄｄｒｅｓｓ  １の場合は、Ｃａｒｒｉｅｒ  ａに対応する。Ｄｅｓｔｉｎａｔｉｏｎ  Ａｄｄｒｅｓｓ  ２の場合は、Ｃａｒｒｉｅｒ  ｂに対応する。Ｄｅｓｔｉｎａｔｉｏｎ  Ａｄｄｒｅｓｓ  ３の場合は、Ｃａｒｒｉｅｒ  ｃに対応する。
【００６８】
形態３において、以下の表６に示すように、ネットワークは、データパケットに対応するＰＳＩＤとＣａｒｒｉｅｒとのマッピング関係を端末に設定することができる：
【表６】
2020537857.tif 000008
【００６９】
ＰＳＩＤ  １の場合は、Ｃａｒｒｉｅｒ  ａに対応する。ＰＳＩＤ  ２の場合は、Ｃａｒｒｉｅｒ  ｂに対応する。ＰＳＩＤ  ３の場合は、Ｃａｒｒｉｅｒ  ｃに対応する。
【００７０】
端末は、第１のマッピング関係及び第２のマッピング関係に基づいて、論理チャネルに対応するＣａｒｒｉｅｒを決定する。
【００７１】
応用例３
第１のマッピング関係はデータパケットの関連情報とＴＴＩ及びＣａｒｒｉｅｒとのマッピング関係である。ここで、データパケットの関連情報は、データパケットに対応するＰＰＰＰ、データパケットに対応するＤｅｓｔｉｎａｔｉｏｎ  Ａｄｄｒｅｓｓ、データパケットに対応するＰＳＩＤである。
【００７２】
以下の表７に示すように、ネットワークは、データパケットに対応するＰＰＰＰとＴＴＩ及びＣａｒｒｉｅｒとのマッピング関係を端末に設定することができる：
【表７】
2020537857.tif 000009
【００７３】
ＰＰＰＰ  １の場合は、Ｃａｒｒｉｅｒ  ａ上のＳｈｏｒｔ  ＴＴＩに対応する。ＰＰＰＰ  ２の場合は、Ｃａｒｒｉｅｒ  ｂ上のＬｏｎｇ  ＴＴＩに対応する。ＰＰＰＰ  ３の場合は、Ｃａｒｒｉｅｒ  ｃ上のＬｏｎｇ  ＴＴＩに対応する。
【００７４】
本発明の実施例の技術案の対応関係が表７に示される対応関係に限定されず、Ｄｅｓｔｉｎａｔｉｏｎ  ＡｄｄｒｅｓｓとＴＴＩ及びＣａｒｒｉｅｒとのマッピング関係、ＰＳＩＤとＴＴＩ及びＣａｒｒｉｅｒとのマッピング関係であってもよいことが当業者に理解される。また、１組のデータパケットの関連情報については、一部をＴＴＩ、他の部分をＣａｒｒｉｅｒに、さらに別の部分をＴＴＩ＋Ｃａｒｒｉｅｒに対応させることができるため、リソースの柔軟設定を実現する。
【００７５】
図５は本発明の実施例に係る論理チャネルのリソース決定装置の構造を示す概略図１であり、図５に示すように、前記論理チャネルのリソース決定装置は、
ネットワーク側から送信された設定情報を受信するように構成される受信ユニット５０１であって、前記設定情報には、データパケットの関連情報と、リソース属性であるＴＴＩ、キャリアのうちの少なくとも１つとの第１のマッピング関係が設定される受信ユニット５０１と、
論理チャネルと前記データパケットの関連情報との第２のマッピング関係を決定するように構成される第１の決定ユニット５０２と、
前記第１のマッピング関係及び前記第２のマッピング関係に基づいて、前記論理チャネルに対応するリソース属性であるＴＴＩ、キャリアのうちの少なくとも１つを決定するように構成される第２の決定ユニット５０３と、を備える。
【００７６】
図５に示される論理チャネルのリソース決定装置の各ユニットで実現される機能が、上記論理チャネルのリソース決定方法の関連する説明を参照して理解することが当業者に理解される。図５に示される論理チャネルのリソース決定装置の各ユニットの機能は、プロセッサ上に実行されるプログラムによって実現されてもよく、特定の論理回路によって実現されてもよい。
【００７７】
図６は本発明の実施例に係る論理チャネルのリソース決定装置の構造を示す概略図２であり、図６に示すように、前記論理チャネルのリソース決定装置は、
ネットワーク側から送信された設定情報を受信するように構成される受信ユニット６０１であって、前記設定情報には、データパケットの関連情報と、リソース属性であるＴＴＩ、キャリアのうちの少なくとも１つとの第１のマッピング関係が設定される受信ユニット６０１と、
論理チャネルと前記データパケットの関連情報との第２のマッピング関係を決定するように構成される第１の決定ユニット６０２と、
前記第１のマッピング関係及び前記第２のマッピング関係に基づいて、前記論理チャネルに対応するリソース属性であるＴＴＩ、キャリアのうちの少なくとも１つを決定するように構成される第２の決定ユニット６０３と、を備える。
【００７８】
本発明の実施例において、前記データパケットの関連情報は、データパケットに対応するＰＰＰＰ、又はデータパケットに対応する宛先アドレス、又はデータパケットに対応するＰＳＩＤを含む。
【００７９】
本発明の実施例において、前記設定情報に設定される第１のマッピング関係は、
データパケットに対応するＰＰＰＰとＴＴＩとのマッピング関係、又は、
データパケットに対応する宛先アドレスとＴＴＩとのマッピング関係、又は、
データパケットに対応するＰＳＩＤとＴＴＩとのマッピング関係を含む。
【００８０】
本発明の実施例において、前記第２のマッピング関係は、
論理チャネルとデータパケットに対応するＰＰＰＰとのマッピング関係、又は、
論理チャネルとデータパケットに対応する宛先アドレスとのマッピング関係、又は、
論理チャネルとデータパケットに対応するＰＳＩＤとのマッピング関係を含む。
【００８１】
本発明の実施例において、前記第２の決定ユニット６０３は、具体的には、前記第１のマッピング関係及び前記第２のマッピング関係に基づいて、前記論理チャネルに対応するリソース属性であるＴＴＩを決定するように構成される。
【００８２】
本発明の実施例において、前記設定情報に設定される第１のマッピング関係は、
データパケットに対応するＰＰＰＰとキャリアとのマッピング関係、又は、
データパケットに対応する宛先アドレスとキャリアとのマッピング関係、又は、
データパケットに対応するＰＳＩＤとキャリアとのマッピング関係を含む。
【００８３】
本発明の実施例において、前記第２の決定ユニット６０３は、具体的には、前記第１のマッピング関係及び前記第２のマッピング関係に基づいて、前記論理チャネルに対応するリソース属性であるキャリアを決定するように構成される。
【００８４】
本発明の実施例において、前記設定情報に設定される第１のマッピング関係は、
データパケットに対応するＰＰＰＰとＴＴＩ及びキャリアとのマッピング関係、又は、
データパケットに対応する宛先アドレスとＴＴＩ及びキャリアとのマッピング関係、又は、
データパケットに対応するＰＳＩＤとＴＴＩ及びキャリアとのマッピング関係を含む。
【００８５】
本発明の実施例において、前記第２の決定ユニット６０３は、具体的には、前記第１のマッピング関係及び前記第２のマッピング関係に基づいて、前記論理チャネルに対応するリソース属性であるＴＴＩ及びキャリアを決定するように構成される。
【００８６】
本発明の実施例において、前記論理チャネルとリソース属性とのマッピング関係は第３のマッピング関係であり、
前記受信ユニット６０１は、更に伝送リソースを取得するように構成され、
前記装置は、
前記伝送リソースに対応するリソース属性であるＴＴＩ、キャリアのうちの少なくとも１つを決定するように構成される第３の決定ユニット６０４と、
前記伝送リソースに対応するリソース属性及び前記第３のマッピング関係に基づいて、前記伝送リソースに関連付けられた１つ以上の論理チャネルを決定するように構成される第４の決定ユニット６０５と、を更に備える。
【００８７】
図６に示される論理チャネルのリソース決定装置の各ユニットで実現される機能が、上記論理チャネルのリソース決定方法の関連する説明を参照して理解することが当業者に理解される。図６に示される論理チャネルのリソース決定装置の各ユニットの機能は、プロセッサ上に実行されるプログラムによって実現されてもよく、特定の論理回路によって実現されてもよい。
【００８８】
本発明の実施例に記載の論理チャネルのリソース決定装置をソフトウェア機能モジュールの形態で実現し、独立した製品として販売又は使用する場合、１つのコンピュータ読取可能な記憶媒体に記憶することもできる。このような理解で、本発明の実施例の技術案の実質又は従来技術に対する貢献のある部分をソフトウェア製品の形態で体現でき、１つのコンピュータ機器（パソコン、サーバ、又はネットワーク機器等であることができる）に本発明の各実施例に記載の方法の全部又は一部を実行させるいくつかの命令を含む該コンピュータソフトウェア製品は、１つの記憶媒体に記憶される。上述した記憶媒体は、ＵＳＢフラッシュメモリ、モバイルハードディスク、読み出し専用メモリ（ＲＯＭ：Ｒｅａｄ  Ｏｎｌｙ  Ｍｅｍｏｒｙ）、磁気ディスク又は光ディスク等のプロクラムコードを記憶可能な様々な媒体を含む。このように、本発明の実施例はハードウェアとソフトウェアの任意の特定の組み合わせに限定されない。
【００８９】
これに対応し、本発明の実施例は、コンピュータ実行可能命令が記憶され、該コンピュータ実行可能命令がプロセッサで実行されると本発明の実施例の上記論理チャネルのリソース決定方法を実現するコンピュータ記憶媒体を更に提供する。
【００９０】
図７は本発明の実施例に係る端末の構造を示す概略図であり、図７に示すように、端末７０は、１つ以上の（１つのみ図示）プロセッサ７０２（プロセッサ７０２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含むがこれらに限定されない）と、データを記憶するためのメモリ７０４と、通信機能のための伝送装置７０６と、を備える。図７に示される構造が例示的なもので、上記電子機器の構造を限定しないことが当業者に理解される。例えば、端末７０は、図７に示される部品より多い又はより少ない部品を含んでもよく、又は図７に示される部品とは異なる設定を有してもよい。
【００９１】
メモリ７０４は、アプリケーションソフトウエアのソフトウェアプログラム及びモジュール、例えば、本発明の実施例における論理チャネルのリソース決定方法に対応するプログラム命令／モジュールを記憶することができ、プロセッサ７０２は、メモリ７０４内に記憶されたソフトウェアプログラム及びモジュールを実行することで、各種の機能の応用及びデータ処理を行い、すなわち、上記方法を実現する。メモリ７０４は、高速ランダムアクセスメモリを含んでもよく、例えば、１つ以上の磁気記憶装置、フラッシュメモリ、又は他の不揮発性固体メモリ等の不揮発性メモリを含んでもよい。いくつかの実例において、メモリ７０４は、プロセッサ７０２に対して遠隔に設置されたメモリを更に含んでもよく、これらの遠隔メモリはネットワークを介して端末７０に接続される。上記ネットワークの実例は、インターネット、イントラネット、ローカルエリアネットワーク、モバイル通信ネットワーク及びその組み合わせを含むが、これらに限定されない。
【００９２】
伝送装置７０６は、１つのネットワーク経由でデータを受送信する。上記ネットワークの具体的な実例は、端末７０の通信プロバイダにより提供される無線ネットワークを含む。一実例において、伝送装置７０６は、１つのネットワークアダプタ（ＮＩＣ：Ｎｅｔｗｏｒｋ  Ｉｎｔｅｒｆａｃｅ  Ｃｏｎｔｒｏｌｌｅｒ）を含み、基地局を介して他のネットワーク機器を接続してインターネットとの通信を行うことができる。一実例において、伝送装置７０６は、無線方式でインターネットと通信を行う無線周波数（ＲＦ：Ｒａｄｉｏ  Ｆｒｅｑｕｅｎｃｙ）モジュールであってもよい。
【００９３】
衝突がない場合、本発明の実施例に記載の技術案を任意に組み合わせることができる。
【００９４】
本発明で提供するいくつかの実施例において、開示された方法及びスマートデバイスは、他の形態で実現されることが理解できる。以上説明された装置実施例は単に例示的なもので、例えば、前記ユニットの区画は、論理的な機能の区画であって、実際に実現する場合、他の区画方式であることもでき、例えば、複数のユニット又は部品を結合したり又は他のシステムに集積したり、又は一部の特徴を無視したり、又は実行しないこともできる。そして、表示又は検討した各組成部分の相互結合又は直接結合又は通信接続は、いくつかのインタフェース、機器又はユニットの間接的な結合又は通信接続であってもよく、電気的、機械的又は他の形態であってもよい。
【００９５】
上記した分離部品として説明したユニットは物理的に分離したものであることができれば物理的に分離していないものであることもでき、ユニットとして表す部品は物理ユニットであることができれば物理ユニットではないこともでき、すなわち、１つの箇所に位置することができれば、複数のネットワークユニットに分布することもでき、実際の需要に応じて、その中の一部又は全部のユニットを選択して本実施例の技術案を実現する目的を達成することができる。
【００９６】
そして、本発明の各実施例中の各機能ユニットは１つの第２の処理ユニットに集積されてもよく、各ユニットがそれぞれ独立したものであってもよく、２つ又は２つ以上のユニットが１つのユニットに集積されてもよく、上記集積されたユニットはハードウェアの形態で実現されてもよく、ハードウェアとソフトウェア機能ユニットの形態で実現されてもよい。
【００９７】
以上は、本発明の具体的な実施形態に過ぎないが、本発明の保護範囲はこれに限定されず、当業者が本発明に開示されている技術範囲内に容易に想到し得る変形又は置換は、本発明の保護範囲内に含まれる。
【図１】
2020537857.tif 000010
【図２】
2020537857.tif 000011
【図３】
2020537857.tif 000012
【図４】
2020537857.tif 000013
【図５】
2020537857.tif 000014
【図６】
2020537857.tif 000015
【図７】
2020537857.tif 000016
【国際調査報告】
2020537857.tif 000017
2020537857.tif 000018
2020537857.tif 000019
2020537857.tif 000020